(57)【要約】【課題】本発明は、対象者の自尊心を傷つけることなく、かつ、対象者が寝たままでも排泄の介助を行うことが可能な衛生用品として使用することができる衛生用品を提供する。【解決手段】対象者の排尿を補助する補助具であって、対象者の陰茎が挿入される挿入口を備えた尿取袋２０が取り付けられるものであり、前記尿取袋２０を着脱可能に固定する固定手段３４と、前記挿入口を開いた状態で保持する開口保持手段３２と、対象者に把持される把持手段３６と、を有する補助具３０とした。【選択図】図１
2005270235.tif 000002
【特許請求の範囲】
【請求項１】
対象者の排尿を補助する補助具であって、
対象者の陰茎が挿入される挿入口を備えた尿取袋が取り付けられるものであり、
前記尿取袋を着脱可能に固定する固定手段と、
前記挿入口を開いた状態で保持する開口保持手段と、
対象者に把持される把持手段と、
を有するものである補助具。
【請求項２】
前記固定手段は、前記尿取袋の少なくとも一部を挟み持つものである請求項１に記載の補助具。
【請求項３】
前記固定手段は、使用の際に対象者の陰茎の裏側に位置する部分において、前記尿取袋を下から支えるように位置する支持体を有するものである請求項１に記載の補助具。
【請求項４】
前記固定手段は、前記尿取袋を嵌め込むことが可能な略カップ状のものである請求項１に記載の補助具。
【請求項５】
前記固定手段は、前記尿取袋の着脱時に、開閉可能なものである請求項４に記載の補助具。
【請求項６】
前記開口保持手段は、前記尿取袋の取り付け時に、前記尿取袋における前記挿入口を形成する部分に剥離容易に接合されるものである請求項１から５いずれかに記載の補助具。
【請求項７】
前記開口保持手段は、前記尿取袋の取り付け時に、前記尿取袋における前記挿入口を形成する部分を挟んで嵌合するものである請求項１から５いずれかに記載の補助具。
【請求項８】
前記開口保持手段は、前記固定手段と連結される連結部を有し、この連結部は可動可能なものである請求項１から７いずれかに記載の補助具。
【請求項９】
前記補助具は、一体で形成又は一体成形されたものである請求項１から８いずれかに記載の補助具。
【請求項１０】
前記補助具は、組み立て式のものである請求項１から９いずれかに記載の補助具。
【請求項１１】
前記補助具は、剛性の高いものである請求項１から１０いずれかに記載の補助具。
【請求項１２】
前記補助具は、前記開口保持手段と前記固定手段とが一体で形成又は一体成形され、前記開口保持手段が分離可能なものである請求項１から１１いずれかに記載の補助具。
【請求項１３】
請求項１から１２いずれかに記載の補助具と、前記尿取袋と、からなる衛生用品。
【請求項１４】
前記尿取袋は使い捨てのものである請求項１３に記載の衛生用品。
【請求項１５】
前記尿取袋は、前記固定手段に固定されるための被固定手段を有することを特徴とする請求項１３又は１４に記載の衛生用品。
【請求項１６】
前記尿取袋は、前記開口保持手段に保持されるための被保持手段を有することを特徴とする請求項１３から１５いずれかに記載の衛生用品。
【請求項１７】
前記尿取袋は、引張部を有し、
前記対象者が前記引張部を持って引っ張ることにより、前記尿取袋を前記補助具から取り外すことが可能なものである請求項１３から１６いずれかに記載の衛生用品。
【発明の詳細な説明】
【技術分野】
【０００１】
本発明は、成人用の使い捨て尿取袋を保持して排泄を補助する補助具及び尿取袋とからなる衛生用品に関する。
【背景技術】
【０００２】
高齢者、身障者等の要介護者（以下、対象者とする）が排泄を行う際の介助方法にはおむつや尿器等が挙げられ、これらは対象者の生活習慣、体調、介護レベルなどに対応して異なる。例えば、おむつや、尿取りパッドを始めとするおむつ補助具は、尿意や便意を感じられない人や、伝えられない人、又は身体を動かすことが極めて困難な状態である人、等に使用される（特許文献１、２参照）。また、携帯トイレは、尿意や便意を感じられる人、伝えられる人、又は身体を動かすことが可能である人に使用される（特許文献３、４参照）。どちらも対象者がトイレまで歩く必要が無く、自室で排泄することが可能である。
【０００３】
特許文献１に記載のおむつ補助具は、吸水体と吸水体を保持する保持部とからなり、おむつ装着時におむつの内側から対象者の股部にあてがわれ、保持部も尿を吸収することが可能なおむつ補助具である。従って、使用後はおむつ補助具を洗濯して繰り返し使用することが可能であるため、ゴミの削減につながる。
【０００４】
特許文献２に記載の受尿具は、尿を収容するための収容袋と、これを保持するための保持部とからなり、前記保持部はその一部に排尿口を有し、かつ、股間に沿って変形可能なものである受尿具である。この受尿具は、使用時にのみ用いればよいため、要介護人の心理的負担が少なく、かつ、衛生的である。
【０００５】
また、特許文献３に記載の携帯トイレは、便座及び便蓋がそれぞれ取り付けられた便器本体及びこの便器本体内に着脱自在に装着される便槽及び、便器本体内に設けられた洗浄ノズルと、を備えたポータブルトイレである。便器本体内に洗浄ノズルが設けられていることによって、お尻の洗浄を行うことが可能となる。
【０００６】
更に、特許文献４に記載の携帯トイレは、尿を収納するための収納袋と、この収納袋を収納するためのトイレ本体と、からなる。トイレ本体は、収納袋の開口部を固定するための楕円状のリング縁を有し、さらにそのリング縁の一端部には同形状の閉じリング蓋を重ねるようにし、更にこの開口部に蓋をするための閉じ部材を設けたものである。
【特許文献１】特開２００１−１８７０７８号公報
【特許文献２】特開平１１−３２４６６５号公報
【特許文献３】特開２００１−３１４３５１号公報
【特許文献４】特開２０００−３１２６８４号公報
【発明の開示】
【発明が解決しようとする課題】
【０００７】
しかしながら、特許文献１に記載のおむつ補助具は、合成樹脂性の防水シートの両面に薄い不織布を２枚づつ重ねた保持部自身が尿を吸収するものであるため、剛性が無く、吸収剤を保持しても安定性が無い。また、保持具自体が尿を吸収しているため、洗濯の際に衛生面で問題が生じる。また、おむつと併用して使用することを前提としているが、安易なおむつの使用は対象者の自尊心を傷つけてしまうと同時に、おむつの中で排尿を強要しつづけると尿意が無くなってしまい、排泄に関係する身体機能が低下してしまうおそれもある。
【０００８】
特許文献２に記載の受尿具は、保持部の一部にしか排尿口が設けられていないため、保持部が尿道口の周辺に密着しなかった場合、尿は確実に漏れてしまう。また、保持部は背面部に吸収性を有さないため、身体を伝って背中に流れた尿は吸収されずまた、寝た状態でこの受尿具を使用することはできない。更に、特許文献３に記載の携帯トイレは、特許文献１及び２に記載のおむつ補助具及び受尿具と比べ、使い捨てであるため衛生的であるが、使用の際には一度自分の布団から離れなければならないため、立ったり座ったりすることが困難な対象者が一人で使用することは難しい。更にまた、特許文献４に記載の携帯トイレは、尿が収納袋中の高分子吸収剤にすぐに吸収されて、固化すれば問題ないが、袋内部を伝わりながら収納袋に収納される場合には、尿の飛び散りや尿がすぐに吸収されず排尿後安定して処理できないという問題や、排尿音、見た目の悪さ、安定性の悪さ等の問題があった。
【０００９】
本発明は、以上のような課題に鑑みてなされたものであり、その目的は、対象者の自尊心を傷つけることなく、かつ、対象者の自室でも排泄を行うことが可能な衛生用品を提供することである。
【課題を解決するための手段】
【００１０】
以上のような目的を達成するために、本発明の衛生用品においては、陰茎を収納できる尿取袋を着脱可能に取り付けることができるものであって、排泄時に収納袋の局部への当接を可能とする補助具を備えたことを特徴とするものである。
【００１１】
本発明は具体的に以下のようなものを提供する。
【００１２】
（１）  対象者の排尿を補助する補助具であって、対象者の陰茎が挿入される挿入口を備えた尿取袋が取り付けられるものであり、前記尿取袋を着脱可能に固定する固定手段と、前記挿入口を開いた状態で保持する開口保持手段と、対象者に把持される把持手段と、を有するものである補助具。
【００１３】
（１）の発明によれば、補助具は、尿取袋を固定する固定手段と、尿取袋の挿入口を開いた状態で保持する開口保持手段と、使用の際に対象者が把持するための把持手段と、を備えている。固定手段を設けることにより尿取袋を固定することができ、この固定の強度は尿取袋が尿を吸収しても脱落しないものとなっている。また、開口保持手段を備えることによって尿取袋の挿入口が閉じてしまうのを避けることが可能となっており、身体機能が衰えている対象者でも容易に陰茎を尿取袋に挿入することができる。そして、把持手段を設けることによって対象者がこの把持手段を掴んで補助具が対象者にとって適切な位置に配置されるようにすることができる。なお、固定手段、開口保持手段及び把持手段の形状や素材などは、上述の機能を有するものである限り特に問わない。
【００１４】
ここで「尿取袋」とは、尿を吸収することが可能な吸収体を難透液性のシートで包み込んだものであって、使用時に袋状となっているものをいう。予め袋状になっているものの他、平状のパッドを漏斗状にしたものも使用することができる。
【００１５】
（２）  前記固定手段は、前記尿取袋の少なくとも一部を挟み持つものである（１）に記載の補助具。
【００１６】
（２）の発明によれば、補助具の固定手段を挟持可能なもの（尿取袋の一部を挟むものであればよい）とすることによって尿取袋を容易に固定することが可能となる。固定手段は、補助具の一部に設けられるクリップのようなものであってもよく、また、補助具全体で挟み持つような形状であってもよい。
【００１７】
（３）  前記固定手段は、使用の際に対象者の陰茎の裏側に位置する部分において、前記尿取袋を下から支えるように位置する支持体を有するものである（１）に記載の補助具。
【００１８】
（３）の発明によれば、固定手段に支持体を備えることによって、尿取袋が下から支えられる状態となるため、尿の重さで尿取袋が補助具から外れてしまうことを防ぐことが可能となる。「支持体」は尿取袋の底面の全部又は一部を支えるためのものであり、形状は特に問わないが、尿を吸収した尿取袋を支えることができる大きさを有しているものであり、把持手段と一体で形成又は一体成形されていることが好ましい。例えば、補助具は、把持手段と挟持部とが一体となっており、クリップ状の挟持部と支持体との間に尿取袋を設けることが可能となるように尿取袋を設置する部分がＵ字状となるようなものであることが更に好ましい。
【００１９】
（４）  前記固定手段は、前記尿取袋を嵌め込むことが可能な略カップ状のものである（１）に記載の補助具。
【００２０】
（４）の発明によれば、固定手段を略カップ状にすることによって、尿取袋をその中に収納することが可能となる。従って、把持手段と反対側の面だけではなく、側部も支えることができるため尿取袋をより確実に支えることができる。
【００２１】
（５）  前記固定手段は、前記尿取袋の着脱時において開閉可能なものである（４）に記載の補助具。
【００２２】
（５）の発明によれば、補助具を開閉可能なものにすることによって尿取袋の着脱が容易になる。例えば、カップ状の固定手段が使用時に上部となる面の中央をひらいて観音開きとなるものや、上部全体が蓋となるように開けられるものが挙げられる。
【００２３】
（６）  前記開口保持手段は、前記尿取袋の取り付け時に、前記尿取袋における前記挿入口を形成する部分に剥離容易に接合されるものである（１）から（５）いずれかに記載の補助具。
【００２４】
（６）の発明によれば、開口保持手段が尿取袋と接合することができることによって尿取袋の挿入口を開いた状態にすることが容易になる。また、剥離容易であるため使用後には、補助具への取り外しも簡単に行うことが可能となる。この接合可能な箇所は、補助具の少なくとも1箇所以上設けられていることが好ましい。具体的には、両面テープ、ホック等が挙げられる。「両面テープ」とは、接着剤が両面についた粘着テープをいい、一方面が補助具に接着されている。この場合、マジックテープ（登録商標）を含む。「ホック」とは、鉤と受け金が一組みになったものをいい、鉤ホックを含む。その他ボタン、リボンなども含み、これらを組み合わせて使用してもよい。
【００２５】
（７）  前記開口保持手段は、前記尿取袋の取り付け時に、前記尿取袋における前記挿入口を形成する部分を挟んで嵌合するものである（１）から（５）いずれかに記載の補助具。
【００２６】
（７）の発明によれば、開口保持手段として、尿取袋の取り付け時において挿入口を形成する部分を挟んで嵌合することによって、挿入口が開口した状態を確実に保つことが可能となる。具体的には、クリップのように挟んで嵌合するものであることが好ましい。「クリップ」とは、尿取袋と補助具とを挟んで留めることが可能な金具をいい、その大きさは特に問わない。
【００２７】
（８）  前記開口保持手段は、前記固定手段と連結される連結部を有し、この連結部は可動可能なものである（１）から（７）いずれかに記載の補助具。
【００２８】
（８）の発明によれば、開口保持手段の位置を調節できるように可動可能であるため、使用の際に対象者の身体に押し当てた時、身体に沿って変形することができ、尿取袋の挿入口を身体に密着させることが可能となる。また、連結部は固定手段に開口保持手段の一部が差込まれる差込式や嵌め込み式であることが好ましい。これらを組み立てる際には、凹凸嵌合ロック、上下嵌合ロックなどを使用することが更に好ましい。
【００２９】
（９）  前記補助具は、一体で形成又は一体成形されるものである（１）から（８）いずれかに記載の補助具。
【００３０】
（９）の発明によれば、前記補助具と一体成形されることにより対象者が組み立てる手間が省け、使用しているうちに部品が取れてしまうこと等がない補助具となる。
【００３１】
（１０）  前記補助具は、組み立て式のものである（１）から（９）いずれかに記載の補助具。
【００３２】
（１０）の発明によれば、補助具を組み立て式のものにすることによって、コンパクトな形状で対象者の手元に届けることが可能となり、持ち運びも容易になる。輸送コストの削減、収納保管時の省スペース化ができる。また、コンパクトな形に変形可能なので収納場所もとらない。組み立ては差込み式や嵌め込み式のものであってもよい。
【００３３】
（１１）前記補助具は、剛性の高いものである（１）から（１０）いずれかに記載の補助具。
【００３４】
（１１）の発明によれば、補助具を剛性の高いものとすることによって繰り返しの使用に耐え得ることが可能となる。
【００３５】
（１２）  前記補助具は、前記開口保持手段と前記固定手段とが一体で形成又は一体成形され、前記開口保持手段が分離可能なものである（１）から（１１）いずれかに記載の補助具。
【００３６】
（１２）の発明によれば、開口保持手段を補助具から分離可能にすることによって、開口を維持するのに最適な場所を選んで取り付けることが可能となる。また、収納の際にコンパクトに収納することが可能となる。
【００３７】
（１３）  （１）から（１２）いずれかに記載の補助具と、前記尿取袋と、からなる衛生用品。
【００３８】
（１３）の発明によれば、尿取袋は補助具に取り付け可能なものとすることによって、常に尿取袋を装着するのではなく、排泄の際のみに両者を組み合わせて装着すればよいということを対象者に認識させることが可能となる。これによって、対象者は１回毎の尿意に対応することが可能となり、おむつの中で排尿するといった望ましくない事態から回避し、対象者の尊厳を保つことができる。更に、尿取袋が補助具を備えることによって適宜位置を調整することができるため、使用の際に尿取袋がずれたり変形したりする事態を防止することが可能となる。
【００３９】
（１４）  前記尿取袋は使い捨てのものである（１３）に記載の衛生用品。
【００４０】
（１４）の発明によれば、尿取袋を使い捨てのものにすることによって、対象者は常に清潔な状態で排泄することが可能となる。この点、従来のプラスチック製尿瓶は、例えば病院などではそのもの自体を複数の人の間で使い回しするので衛生面で問題があったが、本発明によれば、補助具は使い回ししてもそのもの自体に排泄せず、排泄は常に新しい尿取袋で行うため衛生的である。この尿取袋は、使用時において袋状にすることが可能であれば形状は特に問わないが、排泄直後に尿を素早く吸収することが可能となるように、底面には吸収剤を含む吸収体を備えることが好ましく、壁面にも吸収体があることが更に好ましい。
【００４１】
（１５）  前記尿取袋は、前記固定手段に固定されるための被固定手段を有することを特徴とする（１３）又は（１４）に記載の衛生用品。
【００４２】
（１５）の発明によれば、尿取袋に被固定手段を設けることによって、補助具に容易に固定することが可能となる。ここで「被固定手段」とは、尿取袋の一部に設けられ、固定手段の形状に対応する形状を有するものをいう。例えば、固定手段がクリップである場合、挟みやすいように厚みが調節された保持片又は尿取袋の吸収体を含まない外縁部等が挙げられる。
【００４３】
（１６）  前記尿取袋は、前記開口保持手段に保持されるための被保持手段を有することを特徴とする（１３）から（１５）いずれかに記載の衛生用品。
【００４４】
（１６）の発明によれば、尿取袋の挿入口を形成する箇所に被保持手段を設けることによって、容易に固定することが可能となる。ここで「被保持手段」とは、尿取袋の一部に設けられ、固定手段の形状に対応する形状を有するものをいう。例えば、固定手段がクリップである場合、挟みやすいように厚みが調節された保持片又は尿取袋の吸収体を含まない外縁部等が挙げられる。
【００４５】
（１７）  前記尿取袋は、引張部を有し、前記対象者が前記引張部を持って引っ張ることにより、前記尿取袋を前記補助具から取り外すことが可能なものである（１３）から（１６）いずれかに記載の衛生用品。
【００４６】
（１７）の発明によれば、尿取袋に引張部を設けることによって、使用後に補助具から引き離しやすくなるため、取り外す時に手を汚すことがなく衛生的である。また、引張部は、尿取袋の任意の箇所に設けられており、補助具の固定手段に固定される付近に２箇所以上設けられていることが好ましい。なお、引張部の素材は特に問わないが、尿取袋と同様の素材（不織布、布等）からなることが好ましい。
【発明の効果】
【００４７】
以上説明したように本発明は、対象者の排尿を補助する衛生用品であって、対象者の陰茎が挿入される挿入口を備えた尿取袋と、この尿取袋が取り付けられる補助具とからなり、前記尿取袋を着脱可能に固定する固定手段と、前記挿入口を開いた状態で保持する開口保持手段と、対象者に把持される把持手段と、を有するものである。その結果、排泄時にのみ使用することができるため、対象者が排泄時以外においてもおむつや尿取袋を装着したままでいる状態を回避することが可能となり、対象者がおむつ等を装着することによる精神的苦痛を軽減することが可能となる。
【発明を実施するための最良の形態】
【００４８】
以下、本発明をより詳しく説明する。なお、以下の実施形態の説明にあたって、同一構成要件については同一符号を付し、その説明を省略若しくは簡略化する。
【００４９】
[第１実施形態]
本発明の第１実施形態における衛生用品は、図１に示すように、尿取袋２０と、尿取袋２０を支持する補助具３０と、を備えたものをいう。この尿取袋２０は、ビニル袋にＳＡＰが入っているようなものではなく、壁面の少なくとも一部に吸収コアが存在するものである。また、市販のもので代用してもよい。尿取袋２０の挿入口と反対側の面には、補助具３０の開口保持手段３２で保持されるような被保持手段２２（例えば、マジックテープ（登録商標））設けられ、尿取袋２０の外縁部には、補助具３０の固定手段３４を固定しやすくするための被固定手段２４が設けられている。この被固定手段２４は、本実施形態では尿取袋の吸収体を含まない外縁部である。さらに、使用後に補助具３０から引き離しやすいような引張部２６があり、そこを持ってパッドを引き離すことが可能である。なお、尿取袋２０全体の長手方向は１５〜３０ｃｍであり、短手方向の最大値は１５〜２５ｃｍであることが好ましい。本実施形態においては長手方向が２５ｃｍであり、短手方向の最大値は２０ｃｍである。
【００５０】
補助具３０は、尿取袋２０の挿入口を開口した状態に保持するための開口保持手段３２と、尿取袋２０を固定するための固定手段（本実施形態においてはクリップ）３４、及び対象者に把持されるための把持手段３６と、を備えている。なお、図２に示すように開口保持手段３２は、対象者の身体に密着させることが可能となるような可動性を有している。この場合、把持手段３６と開口保持手段３２を接合している連結部３８は、開口保持手段３２の両端を把持し内側に寄せて、開口保持手段３２の中央部の回転軸間を広げ把持手段３６の軸孔に嵌める形状となっている。また、補助具３０の長手方向の全長は、２０〜３０ｃｍであることが好ましく、開口保持手段３２の左右の幅Ｗ１は、５〜１０ｃｍであり、固定手段３４の長さＬ１は５〜１５ｃｍであり、把持手段３６の長さＬ２は１５〜２５ｃｍであることが好ましい。本実施形態においては、開口保持手段３２の左右の幅Ｗ１は、７ｃｍであり、固定手段３４の長さＬ１は２０ｃｍである。また、把持手段３６の長さＬ２は２０ｃｍであることが好ましく、その形状等は図３のように実際に把持される部分を浅くすることによって把持されやすくしたり、図４に示すように指の凹凸に合わせたりすることができ、特に限定されるものではない。
【００５１】
使用の手順としては図５に示すように、対象者はまず、補助具３０の固定手段３４に尿取袋２０を取り付け、挿入口を広げて開口保持手段３２で広がった状態を維持する。そして補助具３０の把持手段３６を掴み開口が確保された挿入口から陰茎を挿入し、身体に密着させ排尿する。最後に排尿後、尿取袋２０の引張部２６を持って補助具３０から引き離す。補助具３０が汚れていれば何らかの方法で清潔にし、汚れていなければコンパクトに折りたたんで収納する。
【００５２】
補助具３０は繰り返し使用することが可能な素材で構成されている。具体的には、ポリプロピレン（ＰＰ）、ポリエチレン（ＰＥ）、ポリスチレン（ＰＳ）アクリロニトリル−ブタジエン−スチレン樹脂（ＡＢＳ）、エラストマー、ポリエチレンテレフタレート（ＰＥＴ）、塩化ビニル樹脂（ＰＶＣ）、ポリカーボネート等を用いたインジェクション成形又は、金属に可撓性を有するプラスチックをコーティングしたもので一体で形成、又は一体成形されている。これらの素材の場合は、洗浄や汚れの拭き取りが可能である。さらに、プラスチックと紙の複合素材であるＥペレット（北越製紙株式会社）等の紙を５１％以上含有させた環境対応素材であってもよい。このＥペレットは、容器リサイクル法の素材分類では紙とされるため、補助具３０は、紙として廃棄することが可能となる。この素材の場合は取替え時期がわかる。
【００５３】
また、補助具３０は、その全部又は一部が自由度の高い（撓む場合も含む）部分を有していてもよい。この場合、補助具３０には上述したような素材、例えば、所定の強度を有する紙、合成樹脂、ゴム、それらの複合物等が用いられることが好ましい。
【００５４】
[第２実施形態]
本実施形態においては、固定手段として、尿取袋全体を挟み持つような形状にした点、及び開口保持手段を分離可能なものとした点が、第１実施形態と異なる。
【００５５】
図６及び図７は、本実施形態における補助具４０を示したものである。補助具４０は、固定手段４４と把持手段４６が一体で形成又は一体成形されている。補助具４０は、把持手段４６の一部に取り付けられた把持手段固定部４８を外すことによって把持手段４６と連結している固定手段４４が左右に開き尿取袋２０を取り外すことが可能となっている。また、開口保持手段４２は使用時に尿取袋の挿入口に別途取り付けられ、これにより挿入口の開口を確保する。
【００５６】
[第３実施形態]
本実施形態においては、固定手段として、尿取袋全体を嵌め込むことが可能な略カップ状にした点が第１実施形態と異なる。
【００５７】
図８から図１０は本実施形態における補助具５０を示したものである。尿取袋２０は、補助具５０の開口より収納される。尿取袋２０の挿入口の部分は、補助具５０の開口保持手段５２によって挟み込むようにして固定される。開口保持手段５２が設けられている場所は特に限定されておらず、図９に示すように補助具５０の内側に設けられていてもよい。また、図１０に示すように補助具５０の一部が開閉可能であってもよい。このようにすることにより、容易かつ、適切に尿取袋２０を取り付けることができる。さらに、把持手段５６の形状は特に限定されるものではなく、図８のように指を入れる穴を形成するようにしてもよく、図９及び図１０のように指の形に合うように波状としてもよい。
【００５８】
このように本実施形態では、固定手段５４として、尿取袋２０全体嵌め込むことが可能な略カップ状にすることにより使用時に尿の重さによって尿取袋２０が外れることを防ぐことをより確実なものとすることが可能となる。
【００５９】
[第４実施形態]
本実施形態においては、固定手段を、尿取袋の一部を支持することが可能な形状にした点が第１実施形態と異なる。
【００６０】
補助具６０への尿取袋２０の取り付け手順は第１実施形態及び第３実施形態と略同様であるが、図１１に示すように、本実施形態においては固定手段６４にクリップを用いて固定し更に、把持手段６６と一体で形成又は一体成形された支持体６８が存在することによって、使用時に尿の重さによって尿取袋２０が外れることを防ぐことが可能となるように上下から尿取袋を固定している。なお、本実施形態においては開口保持手段６２は、分離可能なものであってもよく固定手段６４、把持手段６６及び支持体６８と一体で形成又は一体成形されたものであってもよい。
【産業上の利用可能性】
【００６１】
本発明は、対象者の自尊心を傷つけることなく、排尿の介助を行うことが可能な衛生用品として使用することができる。
【図面の簡単な説明】
【００６２】
【図１】本発明の第１実施形態の衛生用品を示した斜視図である。
【図２】本発明の第１実施形態の補助具を示した斜視図である。
【図３】本発明の第１実施形態の補助具を示した斜視図である。
【図４】本発明の第１実施形態の補助具を示した斜視図である。
【図５】本発明の第１実施形態の補助具の使用例を示した斜視図である。
【図６】本発明の第２実施形態の補助具を示した斜視図である。
【図７】本発明の第２実施形態の補助具を示した斜視図である。
【図８】本発明の第３実施形態の補助具を示した斜視図である。
【図９】本発明の第３実施形態の補助具を示した斜視図である。
【図１０】本発明の第３実施形態の補助具を示した斜視図である。
【図１１】本発明の第４実施形態の補助具を示した斜視図である。
【符号の説明】
【００６３】
２０  尿取袋
２２  被保持手段
２４  被固定手段
２６  引張部
３０、４０、５０、６０  補助具
３２、４２、５２、６２  開口保持手段
３４、４４、５４、６４  固定手段
３６、４６、５６、６６  把持手段
３８  連結部
４８  把持手段固定部
６８  支持体
【図１】
2005270235.tif 000003
【図２】
2005270235.tif 000004
【図３】
2005270235.tif 000005
【図４】
2005270235.tif 000006
【図５】
2005270235.tif 000007
【図６】
2005270235.tif 000008
【図７】
2005270235.tif 000009
【図８】
2005270235.tif 000010
【図９】
2005270235.tif 000011
【図１０】
2005270235.tif 000012
【図１１】
2005270235.tif 000013